(57)【要約】左右のカップ部１、２と、これらカップ部１、２の左右の脇腹部分１ａ、２ａに取り付けられ、体の脇から背中部分にかけて巻き付けるように装着する伸縮性を有する第１および第２のテープ部材５、６とからなり、第１のテープ部材５は、一方のカップ部１の脇腹部分１ａの上端部１ｂと他方のカップ部２の脇腹部分２ａの下端部２ｃとに取り付けられ、第２のテープ部材６は、一方のカップ部１の脇腹部分１ａの下端部１ｃと他方のカップ部２の脇腹部分２ａの上端部２ｂとに取り付けられ、これら第１のテープ部材５および第２のテープ部材６が背中の中央部において交叉するように設けられている。
2002049464.tif 000002
【特許請求の範囲】
【請求項１】
左右のカップ部と、これらカップ部の左右の縁部に取り付けられ、体の脇から背中部分にかけて巻き付けるように装着するテープ部材とからなる女性用被服において、
前記テープ部材が、一方のカップ部の上縁部と他方のカップ部の下縁部とに取り付けられた伸縮性のある第１のテープ部材と、一方のカップ部の下縁部と他方のカップ部の上縁部とに取り付けられた伸縮性を有する第２のテープ部材とで構成され、これら第１のテープ部材および第２のテープ部材が背中の中央部において交叉するように設けられていることを特徴とする女性用被服。
【請求項２】
前記テープ部材が、カップ部の上縁部または／および下縁部に沿ってカップ部の中央部まで延設されていることを特徴とする請求の範囲第１項に記載の女性用被服。
【請求項３】
前記左右のカップ部のつなぎ部分が伸縮性のある第３のテープ部材と第４のテープ部材とによって連接されており、これら第３のテープ部材および第４のテープ部材が胸元の中央部分で交叉するように設けられていることを特徴とする請求の範囲第１項または第２項に記載の女性用被服。
【発明の詳細な説明】
技術分野
本発明は、左右のカップ部と、これらカップ部の左右の縁部に取り付けられ、脇から背中部分にかけて巻き付けるように装着するテープ部材とからなる女性用被服に係り、より詳細には、両腕を上下させた場合でも体（胴体）にフィットしてずれることのない女性用被服、特にブラジャーに関する。
背景技術
従来のブラジャーの構造を第５図（ａ）、（ｂ）に示す。
すなわち、従来のブラジャーは、左右のカップ部８１、８２と、この左右のカップ部８１、８２に縫着されている左側パネル部８３および右側パネル部８４とを有し、これら左側パネル部８３の端部８３ａと右側パネル部８４の端部８４ａとに、それぞれホック８５ａ、８５ｂが設けられた構造となっている。
また、この左側パネル部８３と右側パネル部８４とは、主に横方向への伸縮性を有する素材によって形成されており、さらに、左側パネル部８３および右側パネル部８４のそれぞれの上縁部と下縁部とには、それぞれ横方向に伸縮性を有するゴム状のテープ部材８６、８７が縫着されている。
すなわち、従来のブラジャーでは、主にこの横方向に縫着されたゴム状のテープ部材８６、８７により、カップ部８１、８２をそれぞれ図中矢符Ｘ、Ｙで示す方向に引っ張ることで、カップ部８１、８２を胸元にあてがった状態で保持するようになっている。
ところで、例えば腕を上下に上げ下げした場合、人体の構造上、第５図（ｂ）中に矢符Ｚで示すように、脇の部分の筋肉も上下に伸縮する。
この場合、従来のブラジャーでは、第５図（ｂ）に矢符Ｘ、Ｙで示したように、この上下方向の筋肉の移動に追従するような力が働いていない。むしろ、下側のテープ部材８６は真横に力が作用（第５図（ｂ）中、Ｙ方向）し、上側のテープ部材８６は斜め下方に力が作用（第５図（ｂ）中、Ｘ方向）するため、何度も腕の上げ下げを行っていると、これに伴ってパネル部８３、８４が下方にさがり、その結果、カップ部８１、８２も下方にずれてしまうといった問題があった。
本発明は係る問題点を解決すべく創案されたもので、その目的は、腕を上げ下げ等しても、カップ部やテープ部材が体にフィットしてずれることのない女性用被服を提供することにある。
発明の開示
上記課題を解決するため、本発明の女性用被服は、左右のカップ部と、これらカップ部の左右の縁部に取り付けられ、体の脇から背中部分にかけて巻き付けるように装着するテープ部材とからなる女性用被服において、前記テープ部材が、一方のカップ部の上縁部と他方のカップ部の下縁部とに取り付けられた伸縮性のある第１のテープ部材と、一方のカップ部の下縁部と他方のカップ部の上縁部とに取り付けられた伸縮性を有する第２のテープ部材とで構成され、これら第１のテープ部材および第２のテープ部材が背中の中央部において交叉するように設けられていることを特徴とする。
このような特徴を有する本発明によれば、第１のテープ部材および第２のテープ部材の伸縮力が、左側の脇腹から背中を通って右側の脇腹まで一連に作用する。しかも、この力は背中の中央部でＸ状に交叉して、かつ均等な力で働くので、腕を上下させたときの脇腹の上下の伸縮にも柔軟に対応できるようになっている。つまり、第１のテープ部材および第２のテープ部材が互いに均等な力で引き合うので、腕を上下させたときの脇腹の上下の伸縮にも影響されることなく、体にフィットした状態を安定して保持できるものである。
また、本発明の女性用被服は、上記構成において、テープ部材が、カップ部の上縁部または／および下縁部に沿ってカップ部の中央部まで延設されていることを特徴とする。このように、カップ部の中央部までテープ部材を延設することで、テープ部材の伸縮性がブラジャー全体に作用するので、より体にフィットすることになる。
また、本発明の女性用被服は、上記各構成において、前記左右のカップ部のつなぎ部分が伸縮性のある第３のテープ部材と第４のテープ部材とによって連接されており、これら第３のテープ部材および第４のテープ部材が胸元の中央部分で交叉するように設けられていることを特徴とする。このように、背中側だけでなく、胸側部分も伸縮性のある２本のテープ部材を交叉状に設けることで、背中側と胸側とで伸縮性のバランスがとれ、より体にフィットさせることができる。
発明を実施するための最良の形態
以下、本発明の実施の形態について、図面を参照して説明する。
第１図は、本発明の女性用被服であるブラジャーの構造を示す斜視図、第２図は、同背面図、第３図は体に装着した状態を示す側面図である。
本実施の形態のブラジャーは、左右のカップ部１、２と、これらカップ部１、２のつなぎ部分に縫着された伸縮性のある第３および第４のテープ部材８、９と、前記カップ部１、２の左右の縁部（脇腹部分）１ａ、２ａに縫着され、体の脇から背中部分にかけて巻き付けるように装着する第１および第２のテープ部材５、６とからなる。
すなわち、具体的に説明すると、第１のテープ部材５が、一方のカップ部１の脇腹部分１ａの上端部（請求項に記載のカップ部の上縁部に相当している）１ｂと他方のカップ部２の脇腹部分２ａの下端部（請求項に記載のカップ部の下縁部に相当している）２ｃとに連接されており、第２のテープ部材６が、一方のカップ部１の脇腹部分１ａの下端部（請求項に記載のカップ部の下縁部に相当している）１ｃと他方のカップ部２の脇腹部分２ａの上端部（請求項に記載のカップ部の上縁部に相当している）２ｂとに連接されている。これにより、第１および第２のテープ部材５、６が背中の中央部でたすき状に交叉した状態となる。
また、第３のテープ部材８が、一方のカップ部１のつなぎ部分１ｄの上端部１ｅと他方のカップ部２のつなぎ部分２ｄの下端部２ｆとに連接されており、第４のテープ部材９が、一方のカップ部１のつなぎ部分１ｄの下端部１ｆと他方のカップ部２のつなぎ部分２ｄの上端部２ｅとに連接されている。これにより、第３および第４のテープ部材８、９も胸元の中央部でたすき状に交叉した状態となる。
なお、第１および第２のテープ部材５、６の交叉部７、および第３および第４のテープ部材８、９の交叉部１０は、長さ方向の伸縮性を損なうことのないように考慮して縫着されていてもよい。ただし、交叉部７、１０は、必ずしも縫着する必要はない。縫着しない場合には、第１および第２のテープ部材５、６の伸縮性、および第３および第４のテープ部材８、９の伸縮性がより効果的に作用し、かつ、体の前後（胸元側と背中側）の伸縮性のバランスがとれることで、体によりフィットすることになる。
このような構造のブラジャーによれば、体（胸部分）に装着したとき、第３図に示すように第１のテープ部材５は左側の脇腹から背中中央部を通って右側の脇腹（図示省略）まで一連に力が働き、同様に第２のテープ部材６も左側の脇腹から背中中央部を通って右側の脇腹（図示省略）まで一連に力が働く。しかも、これらの力は背中の中央部でＸ状に交叉しているので、背中の中央部から見て左側（第２図中左側）と右側（第２図中右側）とで、この力Ｘａ、Ｙａが上下方向については互いに力を打ち消し合うように働くので、全体として見た場合、第１のテープ部材５および第２のテープ部材６が体を水平方向から押すように（第２図中、矢符Ｗ方向に）働くことになる。
また、腕を上げたとき、脇腹の筋肉が上方に上がることによってブラジャーに作用する力（上方へ持ち上げようとする力）は、例えば第３図に示す左脇腹の図面では、第１のテープ部材５が斜め下方に引き下げるように作用する力によって打ち消され、腕をさげたとき、脇腹の筋肉が下がることによってブラジャーに作用する力（下方へ引き下げようとする力）は、第３図に示す左脇腹の図面では、第２のテープ部材６が斜め上方に引き上げるように作用する力によって打ち消されることになる。
第４図は、本発明のブラジャーの他の実施の形態を示す正面図である。
本実施の形態では、カップ部１について見ると、第１のテープ部材５の逢着部分５ａはカップ部１の上縁部に沿って延設されておらず、第２のテープ部材６の逢着部分６ａが、そのカップ部１の下縁部に沿って中央部（つなぎ部分）１ｄまで延設された例を示している。また、カップ部２について見ると、第１のテープ部材５の逢着部分５ｂおよび第２のテープ部材６の逢着部分６ｂが、共にカップ部２の上縁部および下縁部に沿ってつなぎ部分２ｄまで延設された例を示している。この例では、第１および第２のテープ部材５、６を延設する具体例（２例）を１つの図面（第４図）にまとめて示しているが、実際の製品では、左右対象形状となるように縫着することは当然である。
このように、カップ部１、２のつなぎ部分１ｄ、２ｄまで第１および第２のテープ部材５、６を延設すると、第１および第２のテープ部材５、６の伸縮性がブラジャー全体に作用するので、より安定して体にフィットすることになる。
なお、上記実施形態では、カップ部１、２のつなぎ部分１ｄ、２ｄも、第３および第４のテープ部材８、９を交叉状に配置して縫着した構成としているが、カップ部１、２のつなぎ部分１ｄ、２ｄについては、従来からあるフロントホックを設けてもよい。
産業上の利用可能性
本発明の女性用被服は、腕を上げ下げ等しても、カップ部やテープ部材が脇腹の筋肉の上下動によって上下にずれるといったことがなく、脇腹の所定位置に安定的にフィットさせることができる。
また、背中側のテープ部材の伸縮性と、胸元側のテープ部材の伸縮性とがバランスのとれた状態でより効果的に作用することで、体の前後（胸元側と背中側）の伸縮性のバランスがとれ、体によりフィットする。これら点で、女性用被服として有益である。
【図面の簡単な説明】
第１図は本発明の女性用被服であるブラジャーの構造を示す斜視図であり、第２図は第１図に示すブラジャーの背面図であり、第３図は第１図に示すブラジャーを体に装着した状態を示す側面図である。
第４図は本発明の女性用被服であるブラジャーの他の実施の形態を示す正面図である。
第５図（ａ）は従来のブラジャーの構造を示す斜視図、第５図（ｂ）は装着時の状態を示す側面図である。
【図１】
2002049464.tif 000003
【図２】
2002049464.tif 000004
【図３】
2002049464.tif 000005
【図４】
2002049464.tif 000006
【図５】
2002049464.tif 000007
【国際調査報告】
2002049464.tif 000008
2002049464.tif 000009
2002049464.tif 000010